(57)【要約】      （修正有）【課題】心電図のクリップ電極部分に消毒液が付着してしまうことが無いようにする。【解決手段】心電図電極の粘着性導電ゲル（１）に接するように電極端子（１０）が設けられ、それより少し高くなる程度の縁（４）を設け一定の高さを施し、電極全体を覆う粘着性シート（５）を縁（４）の一部分（６）に固定した。心電リード線のクリップ電極を取り付ける際には、その粘着性シート（５）を開けて電極端子（１０）に取り付ける。さらに縁（４）の一部を心電リード線の配線を通すために若干低くした心電リード線の配線用のスペースも設けた。【選択図】図２
2019080745.tif 000002
【特許請求の範囲】
【請求項１】
心電図電極全体を覆うカバーを有した心電図電極
【発明の詳細な説明】
【技術分野】
【０００１】
この発明は、病院で患者さんが手術を受ける際に、その一般的な順番としてオペ室に入室するとほぼ同時に患者さんの生体情報を把握するため、心電図などの電極を張り、次に麻酔をかけて、手術に伴う痛みを感じることなくオペを進めてゆくという手順となるが、その際に実際に執刀する部位よりもかなり広い部分をイソジンなどの消毒液を大量に使って消毒してから手術を行うという順序となる。
そのため、体に貼り付けている心電図測定用の電極端子にも消毒液が垂れてしまうことが多く、その際に体に貼り付けている心電リード線のクリップ電極にも消毒液が付着してしまうことが頻繁に発生してしまう。そのため繰り返し使われるリード線のクリップ電極にも消毒液が付着し、薄い被膜となって固着してしまうことが考えられ、心電図の通電性にも影響を及ぼしかねない状況が十分に考えられる。
このような状況を回避するため、体に貼り付ける心電図測定用の心電図電極の形状そのものに工夫を凝らし、消毒液が心電リード線のクリップ電極ならびに心電図の電極端子に付きにくい形状を施した心電図電極に関するものである。
【背景技術】
【０００２】
従来、病院で患者さんが手術を受ける際に、その一般的な順番としてオペ室に入室するとほぼ同時に患者さんの生体情報を把握するため、心電図などの電極を張り、次に麻酔をかけて、手術に伴う痛みを感じることなくオペを進めてゆくという手順となるが、その際に執刀する部位よりもかなり広い部分をイソジンなどの消毒液を大量に使って消毒してから手術を行うという順序となる。
その際に体に貼り付けている心電図用の電極端子にも消毒液が垂れてしまい、結果的に心電リード線のクリップ電極にも消毒液が付着してしまう。その結果、消毒液が薄い被膜となってクリップ電極に固着してしまうことが考えられ、心電図の通電性にも影響を及ぼしかねない状況が十分考えられる。このような状況にも関わらず、体に貼り付ける心電図測定の電極の形状に工夫を凝らし、心電リード線のクリップ電極に消毒液が付着しにくくするような形状の心電図電極はなかった。
【先行技術文献】
【特許文献】
【０００３】
【特許文献１】特開２０１１‐６２３７５号公報
【発明の概要】
【発明が解決しようとする課題】
【０００４】
これは次のような欠点があった。
心電図の測定に用いられる心電図電極の一般的な形状のものは、心電図を測定するための粘着性導電ゲル、そこに接するように生体電気信号を検出するための電極端子を導電性ゲルのほぼ中央に設置、その電極端子の先端部分を除くそれ以外の粘着性導電ゲルの表面を通電性のない素材で出来たカバーで覆い、その形状を安定させている。
また、未使用の際には、患者さんに貼り付ける側の粘着性導電ゲルのもう片方の面を剥離シートで覆い、その心電図電極を使用する際には、その剥離シートを剥がして患者さんの胸部に貼り付け、心電図を測定するための電極として使用する。
【０００５】
このような形状の心電図電極に、心電リード線のクリップ電極を取り付けて心電図を測定するが、その電極端子の高さは、一般的に皮膚からのその高さが５ミリメートル程度と極めて低く、イソジンなどの消毒液が心電図電極の表面を伝って流れてきてしまうことも多く、そのため心電図測定用の心電リード線のクリップ電極にも消毒液が付着してしまうことが考えられる。
この状況を回避するために手術の現場では、この電極部分をサージカルテープなどを使って何重にも覆うことによって辛うじて回避してきているが十分なものとは言えない現状があると思われる。
そして繰り返し使われる心電リード線のクリップ電極に消毒液がいったん付着してしまうと薄い被膜となって固着してしまい、通電性にも影響を及ぼしかねない状況が十分に考えられる。
また、この電極端子の高さ自体を高いものにした場合は、その高さが突起状の出っ張りとなって、手術器具の操作性の妨げともなりかねない。
本発明は、以上のような欠点をなくすためになされたものである。
【課題を解決するための手段】
【０００６】
心電図測定用のクリップ電極に消毒液が付着してしまうことが無いようにするため、心電図電極の形状に工夫を凝らして消毒液が心電リード線のクリップ電極および心電図の電極端子に付着しにくいようにし、さらにその両電極部分全体をシールで覆うことが出来るようにすることにより、消毒液自体が直接電極部分にかからないようにする。
【０００７】
具体的には、心電図電極の粘着性導電ゲルに接するように、そのほぼ中央部分に電極端子が設けられ、その粘着性導電ゲルの表面全体を、その電極端子の先端の部分を除くそれ以外の表面部分を通電性のない素材で出来たカバーで覆い、心電図電極の形状を安定させているが、今回この表面部分を覆うカバーの形状に工夫を凝らし、その淵の部分全体に電極端子よりも少し高くなる程度の縁を設け、一定の高さを施すようにした。
【０００８】
さらにその少し高くなる程度の縁の部分を含む心電図電極全体を覆う大きさの粘着性シートを準備して、予めその縁の一部分を固定した。そして、心電図電極に心電リード線のクリップ電極を取り付ける際には、その粘着性シートを自由に開閉出来るようにして、心電図電極端子に心電リード線のクリップ電極を取り付けて、その後粘着性のあるシートで縁に沿ってカバーをする。さらに今回設けられた縁の一部を心電リード線の配線を通すために僅かに低くして、心電リード線の配線用のスペースも設ける。
【０００９】
このような形状にすることにより、心電図電極にクリップ電極を装着後、心電図電極全体を粘着性のあるシートで覆い、先程の配線用のスペースをオペ台に対して下向きになるように使用することによって、消毒液がクリップ電極に触れることなく流れ落ちるようになり、たとえ消毒中の状況であっても心電図の測定に影響を与えることなく、安定的かつより正確に心電図測定を行うことが可能となる。
【００１０】
このような形状をした心電図電極を使用することにより、心電リード線のクリップ電極および心電図電極端子に消毒液が付着してしまうことを回避することが可能となり、消毒液の付着による被膜の形成がなされる心配もなくなり、手術の流れそのものを妨げることも少なくなるものと思われる。
本発明は、以上の構成よりなる消毒液が心電リード線のクリップ電極ならびに心電図電極端子に付きにくい形状の心電図電極である。
【発明の効果】
【００１１】
心電図電極の粘着性導電ゲルに接するようにほぼ中央部分に電極端子が設けられ、その表面全体をその電極の先端の部分を除くそれ以外の粘着性導電ゲルの表面を通電性のない素材で出来たカバーで覆い心電図電極の形状を安定させているが、今回この表面を覆うカバーの形状に工夫を凝らし、その淵の部分全体に電極端子よりも少し高くなる程度の縁を設け、さらにその一定の高さを施した縁の部分を含む心電図電極全体を覆う大きさの粘着性シートを準備して、予めその縁の一部分を固定した。
【００１２】
そして、心電図電極に心電リード線のクリップ電極を取り付ける際には、その粘着性シートを自由に開閉出来るようにして心電図電極に心電リード線のクリップ電極を取り付ける。
さらに今回設けられた縁の一部を心電リード線の配線を通すために若干低くして、心電リード線の配線用のスペースも設け、さらにこの配線スペース部分をオペ台に対して下向きになるように使用することにより、消毒液の流れ込みを回避することが可能となり、消毒液の付着による被膜の形成がなされる心配もなくなり、安定して心電図を測ることが可能となる。
【図面の簡単な説明】
【００１３】
【図１】本発明の上部斜視図である。
【図２】本発明の側面説明図である。
【発明を実施するための形態】
【００１４】
以下、本発明を実施するための形態について説明する。
心電図測定用のクリップ電極（９）に消毒液が付着してしまうことが無いようにするため、心電図電極の形状に工夫を凝らして消毒液が心電リード線（８）のクリップ電極（９）および心電図電極（１０）に付着しにくいようにして、さらにその両電極部分全体を粘着性のあるシート（５）で覆うことが出来るようにして、消毒液が直接的にかからないようにする。
具体的には、心電図電極（２）の粘着性導電ゲル（１）に接するようにほぼ中央部分に心電図電極端子（１０）が設けられているが、その表面全体をその電極の先端の部分を除くそれ以外の粘着性導電ゲル（１）の表面部分を通電性のない素材で出来たカバー（３）で覆い、心電図電極（２）の形状を安定させている。
今回この表面を覆うカバー（３）の形状に工夫を凝らし、その淵の部分全体に心電図の電極端子よりも少し高くなる程度の縁（４）を設け一定の高さを施すようにする。
【００１５】
さらにその一定の高さを施した縁（４）の部分を含む心電図電極全体を覆う大きさの粘着性シート（５）を準備して、予めその縁の一部分（６）に固定した。そして、心電図電極（２）に心電リード線（８）のクリップ電極（９）を取り付ける際には、その粘着性シート（５）を自由に開閉出来るようにして心電図電極端子（１０）にクリップ電極（９）を取り付ける。さらに今回設けられた縁（４）の一部を心電リード線（８）の配線を通すために若干低くして、配線用のスペース（７）も設けた。
【００１６】
このような形状にすることにより、心電図電極端子（１０）にクリップ電極（９）  を装着後、心電図電極全体を粘着性のあるシート（５）で覆い、先程の配線用のスペース（７）をオペ台に対して下向きになるように使用することによって、消毒液がクリップ電極に触れることなく流れ落ちるようになり、たとえ消毒中の状況であっても、消毒液の付着による被膜の形成がなされる心配もなくなる。
【００１７】
このような形状をした心電図電極を使用することにより、心電リード線のクリップ電極部分および心電図電極に消毒液が付着してしまうことを回避することが可能となり、消毒液の付着による被膜の形成がなされる心配もなくなり、安定して心電図を測ることが可能となり、手術の流れを妨げることも少なくなるものと思われる。
本発明は、以上のような構造である。
【符号の説明】
【００１８】
（１）  心電図電極の粘着性導電ゲル
（２）  心電図電極
（３）  通電性のない素材で出来たカバー
（４）  心電図の電極端子よりも少し高くなる程度の縁
（５）  粘着性のあるシート
（６）  粘着性のあるシートと縁の一部分を固定した場所
（７）  心電リード線の配線用のスペース
（８）  心電リード線
（９）  クリップ電極
（１０）  心電図電極端子
【図１】
2019080745.tif 000003
【図２】
2019080745.tif 000004